(57)【特許請求の範囲】
【請求項１】
複数のシール面及び複数の逃げ部を有した弁体取付け孔が設けられ、この取付け孔によって内部と外部が連通された時計外装組立と、
この時計外装組立の外側から前記弁体取付け孔の縁部に引っ掛かる抜け止めを有して前記弁体取付け孔に移動可能に挿入された弁体軸部、及びこの弁体軸部に連結されて前記時計外装組立の内部に配置される弁体頭部を備えた弁体と、
前記弁体頭部と前記時計外装組立との間に挟設され前記弁体を前記時計外装組立の内側に向けて付勢する付勢体と、
前記複数のシール面に対応して前記弁体軸部に複数取付けられ前記弁体の軸方向往復移動により前記シール面に締め代を有して接するシール位置と前記逃げ部に対向する排気位置とにわたって移動されるとともに、前記シール面に接した状態で前記弁体軸部の外周及びこの外周に対向する前記逃げ部と共に閉空間を仕切るシール材と、
を具備し、
前記シール面として、第１のシール面と、この第１のシール面に対して前記時計外装組立の外部側に位置しかつ前記第１のシール面がなす孔部位の孔径より大きい孔径の孔部位をなす第２のシール面を設けるとともに、
前記逃げ部として、前記第２のシール面の前記第１のシール面側の部位で兼用された第１の逃げ部と、前記第２のシール面に対して前記時計外装組立の外部側に位置しかつ前記第２のシール面がなす孔部位の孔径より大きい孔径の孔部位をなす第２の逃げ部とを設け、
前記弁体軸部が、前記第１のシール面に対向する第１の軸部位と、この第１の軸部位より大径で前記第２のシール面に対向する第２の軸部位を有しており、
前記シール材として、第１のシール材とこれより大径な第２のシール材を設けるとともに、前記第１のシール材が前記第１の軸部位の周部に装着され、前記第２のシール材が前記第２の軸部位の周部に装着されていることを特徴とする携帯時計。
【請求項２】
前記第１の逃げ部は前記第１のシール面に連続する第１のテーパ面を有しているとともに、前記第２の逃げ部は前記第２のシール面に連続する第２のテーパ面を有していることを特徴とする請求項１に記載の携帯時計。
【請求項３】
前記弁体軸部の周面に開放する前記閉空間用の環状溝が、前記弁体軸部の軸方向に隣接したシール材間に形成されていることを特徴とする請求項１又は２に記載の携帯時計。
【請求項４】
前記環状溝の前記第２の軸部位側の溝端部に、前記第２の軸部位の外周と前記環状溝の溝底とにわたる斜状面が設けられていることを特徴とする請求項３に記載の携帯時計。
【請求項５】
前記弁体取付け孔が前記時計外装組立に装着されたパイプで形成されており、このパイプの内周に前記シール面及び逃げ部が設けられていることを特徴とする請求項１から４の内のいずれか一項に記載の携帯時計。
【請求項６】
前記弁体頭部が筒状周壁を有していて、この筒状周壁に通気部が形成されていることを特徴とする請求項１から５の内のいずれか一項に記載の携帯時計。
【発明の詳細な説明】
【技術分野】
【０００１】
本発明は、例えば飽和潜水用ダイバーズウォッチ等のように時計外装組立の内圧が高まる可能性がある携帯時計に関する。
【背景技術】
【０００２】
ケースの内圧が外圧より高くなった場合に対処するために、このケースに設けた自動ガス抜き弁が動作して、ケースの内部の気体をこのケースの外側に自動的に排出できる飽和潜水用のダイバーズウォッチが知られている（例えば、特許文献１参照。）。
【０００３】
このダイバーズウォッチが備える自動ガス抜き弁は、ケースを貫通した段付き孔と、パイプと、バルブと、コイルばねと、防水パッキンを有している。
【０００４】
詳しくは、段付き孔の小径孔部はケースの内側に開放され、段付き孔の大径孔部はケースの外側に開放されている。パイプは、段部を有していて、大径孔部側から小径孔部に挿着されて小径孔部と大径孔部とがなした段に位置決めされている。バルブの少なくとも一部はパイプ内部に軸方向に移動可能に挿入されているとともに、このバルブは大径孔部側に位置する頭部と、小径孔部内に位置する受部を有している。コイルばねは、段部と受部との間に圧縮状態に挟まれていて、バルブをケースの内側に向けて付勢している。防水パッキンは、コイルばねの付勢力で、段付き孔の段に重なったパイプ部位とバルブの頭部との間で圧縮されるように設けられている。
【０００５】
この自動ガス抜き弁は、ケースの内圧がコイルばねの付勢力より低い場合には、閉じた状態に維持されている。しかし、飽和潜水作業に伴ってケース内に侵入するヘリウムガスによりケースの内圧が高められるため、大気圧下においては、コイルばねの付勢力に抗してバルブがケースの外側に向けて移動されることにより、防水パッキンの圧縮が解放される。こうして自動ガス抜き弁が開かれるため、ケース内のガスが排出される。これにより、ケースの内外の圧力差がなくなると、コイルばねの付勢力によって、自動ガス抜き弁は再び閉じた状態となる。
【先行技術文献】
【特許文献】
【０００６】
【特許文献１】特開２００３−２４０８７７号公報
【発明の概要】
【発明が解決しようとする課題】
【０００７】
水中に設置されたヘリウムガス雰囲気の居住区において、この居住区内のヘリウムガスは、特許文献１のダイバーズウォッチが備えた前記自動ガス抜き弁の防水パッキンを透過して、ダイバーズウォッチのケース内に侵入する。この場合、防水パッキンの使用数が１個のみであることに加えて、この防水パッキンによる防水性能は、専らコイルばねに依存しているが、防水パッキンを圧縮するコイルばねの付勢力は、ばね毎のばらつきが比較的大きい。したがって、特許文献１のダイバーズウォッチでは、飽和潜水で使用されるヘリウムガスが、防水パッキンを透過してケース内に侵入する可能性が高く、このケースの内圧が高まり易い。
【０００８】
更に、飽和潜水後に自動ガス抜き弁が開かれる状況において、段付き孔の大径孔部に水が溜まっている可能性があるとともに、雨天下では雨水が大径孔部に浸入することがある。こうした状況下で自動的にガス抜きが行われた場合、排気完了直後であって防水パッキンが圧縮されていない状態において、大径孔部内の水がケース内に浸入する恐れが考えられる。
【０００９】
以上のように従来技術は、自動ガス抜き弁を通ってケース内に外部からガスが透過し易いとともに、ガス抜き操作の完了に伴って外部から水が浸入する恐れがある、という課題がある。
【課題を解決するための手段】
【００１０】
前記課題を解決するために、本発明は、複数のシール面及び複数の逃げ部を有した弁体取付け孔が設けられ、この取付け孔によって内部と外部が連通された時計外装組立と、この時計外装組立の外側から前記弁体取付け孔の縁部に引っ掛かる抜け止めを有して前記弁体取付け孔に移動可能に挿入された弁体軸部、及びこの弁体軸部に連結されて前記時計外装組立の内部に配置される弁体頭部を備えた弁体と、前記弁体頭部と前記時計外装組立との間に挟設され前記弁体を前記時計外装組立の内側に向けて付勢する付勢体と、前記複数のシール面に対応して前記弁体軸部に複数取付けられ前記弁体の軸方向往復移動により前記シール面に締め代を有して接するシール位置と前記逃げ部に対向する排気位置とにわたって移動されるとともに、前記シール面に接した状態で前記弁体軸部の外周及びこの外周に対向する前記逃げ部と共に閉空間を仕切るシール材と、を具備することを特徴としている。
【００１１】
本発明において、複数のシール面がなす孔部位の径は同じであっても異なっていてもよいとともに、複数の逃げ面がなす孔部位の径も同じでも異なっていてもよい。本発明において、弁体取付け孔は、時計外装組立に装着されたパイプで形成することが好ましいが、これに代えて時計外装組立の胴等に直接孔開けして、その孔を弁体取付け孔として用いることも可能である。本発明において、弁体の抜け止めは、弁体軸部と一体に形成することが好ましいが、弁体軸部とは別体で弁体軸部に取付けられたものであっても良い。本発明で、付勢体は、コイルばねを好適に用いることができるが、板ばね等であってもよく、又、この付勢体の付勢力は、指定気圧例えば大気圧より若干高めに設定される。本発明で、シール材が「締め代を有する」とは、シール材がシール面に接して自由状態よりも縮径されてシール面に密接した状態を指している。
【００１２】
本発明の携帯時計の通常の状態では、付勢体による付勢で、弁体の抜け止めが弁体取付け孔の縁部に引っ掛かった状態に弁体が保持されているとともに、複数のシール材が夫々締め代を有してシール位置に配置されている。この状態では、シール材によるシール箇所が、弁体の軸方向に複数個所形成されていて、軸方向に隣接したシール材間に閉空間が形成されている。そのため、飽和潜水で使用されるヘリウムガス等のシール材透過性ガスが各シール材を透過する状況において、時計外装組立の外部から内部への圧力勾配が段階的に低下するので、時計外装組立内へのガスの透過を緩和できる。
【００１３】
ガスの侵入により時計外装組立の内圧が外部の気圧より高くなった場合、大気圧下では付勢体に抗して弁体が時計外装組立の外部に向けて移動され、各シール材が排気位置に配置されるので、弁体の周りを通って時計外装組立内のガスが外部に排出される。このような自動ガス抜きが完了した直後に、シール材が排気位置からシール位置まで移動するように弁体が付勢体の付勢力で移動される際、弁体取付け孔に時計外装組立外の水が浸入することがあっても、複数のシール材が堤防となるとともに、弁体取付け孔に入り込んだ水を閉空間に溜めることができる。なお、閉空間に溜められた水は、自動ガス抜き時に、時計外装組立の内部から外部へ排気されるガスの流れによって押し出される。
【００１４】
本発明の携帯時計の好ましい形態では、前記時計外装組立の内圧で前記弁体が前記時計外装組立の外部に向けて移動された状態で、前記弁体軸部の軸方向に隣接したシール材の内で前記時計外装組立の外部側のシール材とこのシール材が接離する方の前記シール面との軸方向第１離間距離が、前記隣接したシール材の内で前記時計外装組立の内部側のシール材とこのシール材が接離する方の前記シール面との軸方向第２離間距離より短いことを特徴としている。
【００１５】
この発明の形態では、自動ガス抜きが行われる場合、前記軸方向第１離間距離と軸方向第２離間距離の差により、まず、時計外装組立の内部に対して近い方のシール材が、シール位置から排気位置に達し、この後、時計外装組立の内部に対して遠い方のシール材が、シール位置から排気位置に達して、この時点から時計外装組立の外部にガスが排出される。この逆に、弁体が付勢体で押し戻されて通常の状態に戻される場合、まず、時計外装組立の内部に対して遠い方のシール材が、排気位置からシール位置に達し、この後、時計外装組立の内部に対して近い方のシール材が、排気位置からシール位置に達する。このように複数のシール材によるシールが時間差をもって形成される。これにより、付勢体で弁体が適正な移動ストロークと同距離押し戻される途中の段階で、時計外装組立の内部に対して遠い方のシール材によって弁体まわりをシールすることができる。
【００１６】
本発明の携帯時計の好ましい形態では、前記シール面として、第１のシール面と、この第１のシール面に対して前記時計外装組立の外部側に位置しかつ前記第１のシール面がなす孔部位の孔径より大きい孔径の孔部位をなす第２のシール面を設けるとともに、前記逃げ部として、前記第２のシール面の前記第１のシール面側の部位で兼用された第１の逃げ部と、前記第２のシール面に対して前記時計外装組立の外部側に位置しかつ前記第２のシール面がなす孔部位の孔径より大きい孔径の孔部位をなす第２の逃げ部とを設け、前記弁体軸部が、前記第１のシール面に対向する第１の軸部位と、この第１の軸部位より大径で前記第２のシール面に対向する第２の軸部位を有しており、前記シール材として、第１のシール材とこれより大径な第２のシール材を設けるとともに、前記第１のシール材が前記第１の軸部位の周部に装着され、前記第２のシール材が前記第２の軸部位の周部に装着されていることを特徴としている。
【００１７】
この発明の形態では、３個以上のシール材及びこれらに対応した数のシール面並びに逃げ部を設けていないので、弁体が取付けられる弁体取付け孔の軸長が最小となるに伴い、時計外装組立の大形化を抑制しつつ、本発明の目的を達成できる。
【００１８】
本発明の携帯時計の好ましい形態では、前記第１の逃げ部は前記第１のシール面に連続する第１のテーパ面を有しているとともに、前記第２の逃げ部は前記第２のシール面に連続する第２のテーパ面を有していることを特徴としている。
【００１９】
この発明の形態では、時計外装組立に第１、第２のシール面及び第１、第２の逃げ部を加工するに際して、それらがなす孔部位の孔径の差に従い、小さい孔部位から順次大きい孔部位を切削等により容易に加工できるとともに、テーパ面によるガイド作用でシール材の締め代を円滑に形成できる。
【００２０】
本発明の携帯時計の好ましい形態では、前記弁体軸部の周面に開放する前記閉空間用の環状溝が、前記弁体軸部の軸方向に隣接したシール材間に形成されていることを特徴としている。
【００２１】
この発明の形態では、環状溝によって閉空間の容積を大きくできるので、ガス抜き終了に伴う外部からの水の浸入量が多い場合でも、それを閉空間に溜めて時計外装組立の内部への浸水をより困難にできる利点がある。
【００２２】
本発明の携帯時計の好ましい形態では、前記環状溝の前記第２の軸部位側の溝端部に、前記第２の軸部位の外周と前記環状溝の溝底とにわたる斜状面が設けられていることを特徴としている。
【００２３】
この発明の形態では、環状溝に溜められた水を、この環状溝の斜状面をガイドとしてガス排出時に排出される気体により環状溝外に円滑に押し出せる利点がある。
【００２４】
本発明の携帯時計の好ましい形態では、前記弁体取付け孔が前記時計外装組立に装着されたパイプで形成されており、このパイプの内周に前記シール面及び逃げ部が設けられていることを特徴としている。
【００２５】
この発明の形態では、パイプが単独の状態で、その内周にシール面及び逃げ部を加工できるので、時計外装組立の胴等に直接孔開けして弁体取付け孔を設ける場合に比較して、加工性がよい、という利点がある。
【００２６】
本発明の携帯時計の好ましい形態では、前記弁体頭部が筒状周壁を有していて、この筒状周壁に通気部が形成されていることを特徴としている。
【００２７】
この発明の形態では、弁体が有した筒状周壁が時計外装組立に当たるまで、時計外装組立の内圧で弁体が時計外装組立の外部に向けて移動されて開始されるガス抜き状態で、弁体取付け孔に連通した筒状周壁の内側空間と時計外装組立の内部とを、筒状周壁の通気部で連通させることができる。したがって、時計外装組立に筒状周壁が当接されるにも拘らず、ガス抜き経路が途切れることがなく、確実に時計外装組立の内部のガスを抜くことができる。
【発明の効果】
【００２８】
本発明によれば、自動ガス抜き弁の弁体まわりを通じて時計外装組立の内部にガスが透過することを緩和できるとともに、ガス抜き操作の完了作に伴って外部から時計外装組立内に水が浸入し難い携帯時計を提供できる、という効果がある。
【図面の簡単な説明】
【００２９】
【図１】本発明の一実施の形態に係る腕時計を示す平面図である。
【図２】図１の腕時計をそのガス抜き弁がガス抜き前の状態で図１中Ｆ−Ｆ線に沿って示す断面図である。
【図３】図１の腕時計をそのガス抜き弁が動作途中の状態で図１中Ｆ−Ｆ線に沿って示す断面図である。
【図４】図１の腕時計をそのガス抜き弁がガス抜き完了状態で図１中Ｆ−Ｆ線に沿って示す断面図である。
【発明を実施するための形態】
【００３０】
以下、図面を参照して本発明の一実施の形態について、詳細に説明する。
【００３１】
図１〜図４中符号１は携帯時計、例えば飽和潜水での使用にも適するダイバーズウォッチ等の腕時計を示している。この腕時計１は、時計外装組立２と、弁体３１と、複数例えば２個のシール材４１，４２と、付勢体例えばコイルばね４５を具備している。時計外装組立２の後述する弁体取付け孔をなすパイプ２３と、弁体３１と、シール材４１，４２と、コイルばね４５は、時計外装組立２の内圧を自動的に減じるための自動ガス抜き弁９を構成している。
【００３２】
時計外装組立２には、図２〜図４に示すように時刻表示板３及びムーブメント４が内蔵されているとともに、図１に示すように時計外装組立２の周部に竜頭５が取付けられている。
【００３３】
時計外装組立２は、胴部１１ａと裏蓋部１１ｂとが一体に形成された金属製の外装部材１１と、ガラス支持部材１３と、カバーガラス１５を備えている。ガラス支持部材１３は、リング形状をなしていて、胴部１１ａにその正面側から螺合して固定されている。カバーガラス１５は、ガラス支持部材１３の内側に液密に装着されていて、その裏面は時刻表示板３に対向している。
【００３４】
なお、外装部材１１に代えて、胴部１１ａに相当する胴に、これとは別体で裏蓋部１１ｂに相当する裏蓋を螺合した構成を備えた時計外装組立２を用いることもできる。更に、ガラス支持部材１３の外周に沿って回転操作可能なリング形の回転ベゼル６が時計外装組立２に取付けられている。回転ベゼル６は、その裏面に周方向に沿って一定間隔毎に設けられた係合溝６ａ（一個のみ図示）に係止ばね７の図示しない係止片が係合されることにより、任意の回転位置に静止した状態を保持されるようになっている。
【００３５】
図２〜図４に示すように時計外装組立２の例えば胴部１１ａには、内側凹部２０ａと、外側凹部２０ｂと、これらにわたるパイプ通孔２１が設けられている。内側凹部２０ａ及び外側凹部２０ｂは、いずれも円形穴であり、内側凹部２０ａは時計外装組立２の内部２ａに開放され、外側凹部２０ｂは時計外装組立２の外面例えば胴部１１ａの外面に開放されている。パイプ通孔２１は、内側凹部２０ａ及び外側凹部２０ｂより小径な丸孔である。このパイプ通孔２１の一端は外側凹部２０ｂに開放され、かつ、他端は内側凹部２０ａに開放されている。
【００３６】
パイプ通孔２１に金属の丸い直管からなるパイプ２３が挿通されていて、このパイプ２３は胴部１１ａにろう材２２によりろう付けされている。このろう付けのためのフランジ部２３ａがパイプ２３の一端部外周に一体に突設されている。このフランジ部２３ａが設けられたパイプ２３が有した一端部は、弁体取付け孔の縁部２３ｂをなしていて、外側凹部２０ｂに収められている。時計外装組立２の内部２ａ側に位置されたパイプ２３の他端部はばね受け段部２３ｃを有している。
【００３７】
以上のようにパイプ２３を時計外装組立２に装着して弁体取付け孔を設けたので、このパイプ２３が単独の状態で、その内周に後述するシール面及び逃げ部を加工できる。そのため、時計外装組立２の胴部１１ａ等に直接孔開けして弁体取付け孔を設ける場合に比較して、加工性がよい。
【００３８】
パイプ２３は、その内周に複数のシール面とこれらに連続する複数の逃げ部を有している。すなわち、本実施形態では、第１のシール面２４と第２のシール面２５が、パイプ２３の内周にこのパイプ２３の軸方向に互いに離れて設けられているとともに、第１の逃げ部２６と第２の逃げ部２７が、パイプ２３の内周にこのパイプ２３の軸方向に互いに離れて設けられている。
【００３９】
第１のシール面２４はパイプ２３の前記他端部内周に形成され、第２の逃げ部２７はパイプ２３の前記一端部内周に形成されている。第２のシール面２５と第１の逃げ部２６とは兼用されている。つまり、第１の逃げ部２６は第２のシール面２５の第１のシール面２４側の部位で形成されている。そのため、第１の逃げ部２６を兼ねた第２のシール面２５は、第１のシール面２４と第２の逃げ部２７との間に位置してパイプ２３の内周に形成されている。したがって、第１のシール面２４、第１の逃げ部２６及び第２のシール面２５、第２の逃げ部２７は、この記載順にパイプ２３の軸方向に交互に並べて設けられている。
【００４０】
第２のシール面２５及び第１の逃げ部２６がなす孔部位の孔径は第１のシール面２４がなす孔部位の孔径より大きい。第１の逃げ部２６は第１のシール面２４に連続する第１のテーパ面２８を有している。そのため、第２のシール面２５に対して時計外装組立２の内部２ａ側に連続している第１の逃げ部２６がなす孔部位の孔径も、第１のシール面２４がなす孔部位の孔径より大きい。第２の逃げ部２７がなす孔部位は時計外装組立２の外部に開放されている。第２の逃げ部２７は第２のシール面２５に連続する第２のテーパ面２９を有している。そのため、第２の逃げ部２７がなす孔部位の孔径は、第２のシール面２５がなす孔部位の孔径より大きい。
【００４１】
以上のように第１の逃げ部２６と第１のシール面２４とが第１のテーパ面２８を介して連続されているとともに、第２の逃げ部２７と第２のシール面２５とが第２のテーパ面２９を介して連続されているので、パイプ２３の内径は、胴外側のパイプ２３の胴外（時計外装組立２の外部）側の一端から胴内側(内部２ａ側)に向けて段階的に小さく形成されている。
【００４２】
こうした孔径の差に従い、時計外装組立２のパイプ２３に第１のシール面２４、第１の逃げ部２６及び第２のシール面２５、第２の逃げ部２７を加工する際、小さい孔径から順次大きい孔径を切削等により加工できる。したがって、弁体取付け孔をなすパイプ２３の加工性が良い点で好ましい。
【００４３】
更に、後述の弁体３１がコイルばね４５で胴内側（内部２ａ側）に向けて押し戻される場合に、その移動が円滑である利点がある。つまり、弁体３１が押し戻されるに伴い、後述の第１のシール材４１が第１のシール面２４がなす孔部位に入り込む際に引っ掛かることを、第１のテーパ面２８で抑制できる。これとともに、この第１のテーパ面２８をガイドとして第１のシール材４１を、締め代を有した状態に円滑に弾性変形させて第１のシール面２４がなす孔部位に挿入させることができる。同様に、弁体３１が胴内側（内部２ａ側）に向けて押し戻されるに伴い、後述の第２のシール材４２が第２のシール面２５がなす孔部位に入り込む際に引っ掛かることを、第２のテーパ面２９で抑制できる。これとともに、この第２のテーパ面２９をガイドとして第２のシール材４２を、締め代を有した状態に円滑に弾性変形させて第２のシール面２５がなす孔部位に挿入させることができる。
【００４４】
弁体３１は弁体軸部３２とこれに連結された弁体頭部３３を備えている。
【００４５】
弁体軸部３２の外周は円形であり、この弁体軸部３２は、時計外装組立２の外部からパイプ２３に挿入されている。弁体軸部３２は、パイプ２３の軸方向に移動可能であり、その時計外装組立２の外部側の端部に抜け止め３２ａを有している。抜け止め３２ａは前記端部の外周に円形のフランジ状をなして一体に突設されている。この抜け止め３２ａは、第２の逃げ部２７がなす孔部位の孔径より大径であって、前記縁部２３ｂに接離可能であり、その接触、つまり、引っ掛かりにより、それ以上弁体３１がパイプ２３から時計外装組立２の内部２ａ側へ移動することが防止されている。
【００４６】
弁体頭部３３は、前記内側凹部２０ａに嵌合される大きさの筒状周壁３３ａを有している。この弁体頭部３３の裏面中央部にはねじ部が一体に突設されていて、このねじ部に弁体軸部３２が螺合されることにより、弁体３１が組立てられている。なお、この組立を可能とするために弁体軸部３２の時計外装組立２の外部側の端部と弁体頭部３３の夫々に、弁体軸部３２及び弁体頭部３３を回転操作する工具（図示しない）が係合される溝が形成されている。
【００４７】
筒状周壁３３ａにこの筒状周壁３３ａの内部と外部とを連通する通気部３４が形成されている。通気部３４は筒状周壁３３ａの周方向に間隔的に複数設けられている。これらの通気部３４は、例えば内側凹部２０ａの底に指向する筒状周壁３３ａの周部端面に開放して設けられている。筒状周壁３３ａの周部端面は、弁体頭部３３が押込み操作されることによって、内側凹部２０ａの底に当接可能である。この当接により、時計外装組立２の外側に向けての弁体３１の移動ストロークが適正に規定されるようになっている。
【００４８】
弁体軸部３２は、第１の軸部位３５と、第２の軸部位３６と、環状溝３７を有している。第１の軸部位３５は弁体軸部３２の弁体頭部３３側の軸部位で形成されている。第２の軸部位３６は弁体軸部３２の抜け止め３２ａ側の軸部位で形成されている。環状溝３７は、第１の軸部位３５と第２の軸部位３６との間の軸部位にその外周に開放して形成されている。
【００４９】
環状溝３７は、第２の軸部位３６側の溝端部に斜状面３７ａを有している。斜状面３７ａは、環状溝３７に連続した第２の軸部位３６の外周と環状溝３７の溝底とにわたって設けられている。この構成により、環状溝３７が第２の軸部位３６側に溝底に対して直角な端面を有さないので、環状溝３７に溜められた水を、後述のガス自動排出時に排出されるガスにより斜状面３７ａをガイドとして環状溝３７外に円滑に押し出すことができる。
【００５０】
第１の軸部位３５の直径は、第１のシール面２４がなす孔部位に嵌合される大きさであるとともに、第１の逃げ部２６を兼ねた第２のシール面２５がなす孔部位の孔径より小さい。第２の軸部位３６の直径は第１の軸部位３５の直径より大きい。更に、この第２の軸部位３６の直径は、第２のシール面２５がなす孔部位に嵌合される大きさであるとともに、第２の逃げ部２７がなす孔部位の孔径より小さい。
【００５１】
シール材４１，４２は合成ゴムやエラストマ等の弾性材料でリング形に形成されている。シール材４１，４２の内の一方からなる第１のシール材４１は、第１の軸部位３５の周部に形成された環状シール溝に嵌合して装着されている。この第１のシール材４１の自由状態での外周径は、第１のシール面２４がなす孔部位の孔径より大きく、かつ、第１の逃げ部２６を兼ねた第２のシール面２５がなす孔部位の孔径より小さい。シール材４１，４２の内の他方からなる第２のシール材４２は、第２の軸部位３６の周部に形成された環状シール溝に嵌合して装着されている。第２のシール材４２は第１のシール材４１より大径である。更に、この第２のシール材４２の自由状態での外周径は、第２のシール面２５がなす孔部位の孔径より大きく、かつ、第２の逃げ部２７がなす孔部位の孔径より小さい。
【００５２】
コイルばね４５は、弁体頭部３３と時計外装組立２（具体的にはパイプ２３のばね受け段部２３ｃ）との間に圧縮状態に挟設されている。弁体３１は、コイルばね４５の付勢力により、時計外装組立２の内側に向けて付勢されている。この付勢により、図２に示すように弁体３１は、その抜け止め３２ａがパイプ２３の縁部２３ｂに引っ掛かった状態に保持される。このコイルばね４５は大気圧より若干高い圧力に相当するばね力（付勢力）を有している。
【００５３】
図２に示した腕時計１の通常の状態では、弁体３１の軸方向に隣接したシール材４１，４２の内で、相対的に時計外装組立２の内部寄りに配置されている第１のシール材４１が、弾性変形をした状態、つまり、締め代を有した状態で第１のシール面２４に摺動可能に密接されている。これとともに、弁体３１の軸方向に隣接したシール材４１，４２の内で、相対的に時計外装組立２の外部寄りに配置されている第２のシール材４２が、弾性変形をした状態、つまり、締め代を有した状態で第２のシール面２５に摺動可能に密接されている。
【００５４】
このように第１のシール材４１と第２のシール材４２が、締め代を有した状態に配置されていることを、ここではシール位置に配置されていると称する。シール位置に配置された状態の第１のシール材４１と第２のシール材４２は、これらの間の弁体軸部３２の外周と、この外周に対向した第２の逃げ部２７とともに閉空間Ｓを仕切っている。この閉空間Ｓには環状溝３７が対向しており、それにより、環状溝３７を含んで閉空間Ｓが形成されている。
【００５５】
更に、図２に示すように自動排気時の弁体３１の適正な移動ストロークをＬ１とした場合、シール位置に配置された第１のシール材４１は、第１のシール面２４の第１の逃げ部２６側の端を基準に弁体頭部３３側に１／２ストローク未満の距離Ｌ２内に位置して、第１のシール面２４に密接されている。同様に、シール位置に配置された第２のシール材４２は、第２のシール面２５の第２の逃げ部２７側の端を基準に弁体頭部３３側に１／２ストローク以上１ストローク未満の距離Ｌ３内に位置して、第２のシール面２５に密接されている。
【００５６】
腕時計１が携帯される状態では、既述のように第１のシール材４１と第２のシール材４２が夫々締め代を有した状態でシール位置に配置されている。そのため、これらシール材によるシール箇所が、弁体３１の軸方向に複数個所(２箇所)形成されているとともに、弁体３１の軸方向に隣接したシール箇所間に閉空間Ｓが形成されている。
【００５７】
飽和潜水において、水中の居住区で使用されるヘリウムガス等のシール材透過性ガスは、カバーガラス１５まわりのシール材、及び弁体３１まわりのシール材を透過するので、時計外装組立２の内部のガス圧が高められる。
【００５８】
この場合、弁体３１まわりについては、この弁体３１の軸方向に間隔を置いて設けられた第１のシール材４１と第２のシール材４２で夫々シールされているので、時計外装組立２の外部から内部への圧力勾配が段階的に低下する。つまり、第２の逃げ部２７がなす孔部位内のガス圧が水中の居住区のガス圧に等しく最も高く、第１のシール材４１と第２のシール材４２で仕切られた閉空間Ｓの圧力が次に高く、時計外装組立２の内部２ａ内の圧力が最も低くなる。
【００５９】
そのため、第２の逃げ部２７がなす孔部位と閉空間Ｓとのガス圧の差が小さいことにより、ヘリウムガスが第２のシール材４２を透過することが緩和され、同様に、閉空間Ｓと時計外装組立２の内部２ａとのガス圧の差が小さいことにより、ヘリウムガスが第１のシール材４１を透過することが緩和される。このように弁体３１まわりを経由するガスの透過が緩和されるので、時計外装組立２の内圧の高まりを抑制できる。
【００６０】
水中の居住区から使用者が浮上すると、その時点では時計外装組立２の内圧が、時計外装組立２の外部の圧力(大気圧)より高くなっている。そのため、この内圧が、コイルばね４５のばね力より大きい場合には、時計外装組立２の内圧により弁体３１がコイルばね４５を更に圧縮させながら時計外装組立２の外側に向けて移動される。それにより、自動ガス抜き弁９が自動的に開かれて、時計外装組立２の内部２ａの高圧のガスが時計外装組立２の外部に排出される。
【００６１】
このガス抜きにおいて、弁体３１が移動途上にある状態、例えば、弁体３１が適正に移動された場合の弁体３１の適正移動ストロークＬ１の略１／２ストロークだけ弁体３１が押込まれた状態が図３に示されている。
【００６２】
この状態で、時計外装組立２の外部寄りの第２のシール材４２は、未だ締め代を有した第２のシール面２５に密接した状態にあるが、時計外装組立２の内部２ａ寄りの第１のシール材４１は、第１のシール面２４から外れて第１の逃げ部２６に対向した状態にある。したがって、第１のシール材４１は締め代がない自由状態に復元しているとともに、閉空間Ｓが、第１のシール材４１と第１の逃げ部２６との間に形成された隙間に開放されている。このため、この隙間を通して第１のシール材４１と第２のシール材４２との間が時計外装組立２の内部２ａと同圧となる。
【００６３】
図４に、弁体３１が適正な移動ストロークＬ１だけ移動されて、弁体頭部３３の筒状周壁３３ａの周部端面が内側凹部２０ａの底に当接された状態が示されている。このように弁体３１が時計外装組立２の外側に向けて適正に移動されると、第２のシール材４２が第２のシール面２５から外れて第２の逃げ部２７に対向した状態となる。又、この状態でも、第１のシール材４１は第１の逃げ部２６に対向している。
【００６４】
こうした状態で、時計外装組立２の外部寄りの第２のシール材４２とこれが接離する第２のシール面２５との軸方向第１離間距離Ｌ５は、時計外装組立２の内部２ａ寄りの第１のシール材４１とこれが接離する第１のシール面２４との軸方向第２離間距離Ｌ６より短くなっている。以上のように第１のシール材４１と第２のシール材４２がともに対応する逃げ部に対向した状態に配置されていることを、ここでは第１のシール材４１と第２のシール材４２が排気位置に配置されていると称する。
【００６５】
こうした配置により、第２のシール材４２は締め代がない自由状態に復元するとともに、この第２のシール材４２と第２の逃げ部２７との間に形成された隙間を通して、第１のシール材４１と第２のシール材４２との間が時計外装組立２の外部に連通される。
【００６６】
以上のように時計外装組立２の内圧で弁体３１が時計外装組立２の外側に向けて押し出されるに伴い、まず、時計外装組立２の内部２ａに対して近い方の第１のシール材４１が、そのシール位置から排気位置に達する（図３の状態参照）。この後、時計外装組立２の内部２ａに対して遠い方の第２のシール材４２が、そのシール位置から排気位置に達する（図４の状態参照）。
【００６７】
したがって、この時点から時計外装組立２の内部２ａのガスが、弁体３１のまわりを通って時計外装組立２の外部に流出する。この場合、弁体頭部３３の通気部３４が設けられているから、既述のように内側凹部２０ａの底に筒状周壁３３ａの先端が当接されるにも拘らず、弁体軸部３２とパイプ２３との間の隙間と、時計外装組立２の内部２ａとの連通が弁体頭部３３の通気部３４により持続される。そのため、通気部３４によってガス抜き経路を途切れることなく確保されるので、確実に時計外装組立２の内部２ａのガスを抜くことができる。そして、このガス抜きに伴って、後述のように閉空間Ｓに水が溜まっている場合、その水を時計外装組立２の内部２ａから外部へ排気されるガスの流れによって、閉空間Ｓから押し出すことができる。
【００６８】
以上のようにガス抜きが完了して、時計外装組立２の内圧が大気圧に等しくなると同時に、コイルばね４５のばね力で弁体３１が時計外装組立２の内側に向けて押し戻されるので、第１のシール材４１及び第２のシール材４２の夫々が、排気位置からシール位置まで移動されて、図２に示した通常の状態に戻される。
【００６９】
このように第１のシール材４１及び第２のシール材４２が排気位置からシール位置まで移動するように弁体３１がコイルばね４５で移動される際、それまでにパイプ２３の第２の逃げ部２７がなす孔部位に入り込んだ水が、時計外装組立２の内部２ａに向けて浸入しようとすることがある。この場合、第１のシール材４１及び第２のシール材４２の夫々が堤防となるので、パイプ２３に入り込んだ水が時計外装組立２の内部２ａに到達し難い。
【００７０】
このとき、第２のシール材４２を乗り越えた水を、形成されつつある閉空間Ｓに溜めることができる。これにより、より確実に時計外装組立２の内部２ａへの水の浸入を抑制できる。しかも、閉空間Ｓの容積はそれに臨んだ環状溝３７によって大きく確保されている。したがって、ガス抜き終了に伴う水の浸入量が多い場合でも、それが閉空間Ｓに溜められるので、第１のシール材４１を乗り越えて時計外装組立２の内部２ａへ浸入することを、より困難にできる。
【００７１】
更に、以上のガス抜きが完了した後に弁体３１がコイルばね４５で時計外装組立２の内側方向に押し戻されて自動ガス抜き弁９が通常の状態に戻される場合、軸方向第１離間距離Ｌ５と軸方向第２離間距離Ｌ６の差により、まず、時計外装組立２の内部２ａに対して遠い方の第２のシール材４２が、その排気位置からシール位置に達する。この後、時計外装組立２の内部２ａに対して近い方の第１のシール材４１が、その排気位置からシール位置に達する。
【００７２】
このように複数のシール材４１，４２によるシールが時間差をもって形成される。それにより、弁体３１が前記適正な移動ストロークＬ１と同距離だけ押し戻される以前、例えば時計外装組立２の内側方向への弁体３１の移動開始から早い段階で、時計外装組立２の内部２ａに対して遠い方の第２のシール材４２がシール位置に配置されて締め代を有した状態となる。したがって、この点において時計外装組立２外の水が弁体取付け孔をなすパイプ２３通って時計外装組立２の内部２ａに浸入し難くできる。
【００７３】
又、前記一実施形態では、３個以上のシール材及びこれに対応した数のシール面並びに逃げ部を設けていないので、弁体３１が取付けられるパイプ２３の軸長が最小となるに伴い、時計外装組立２の大形化を抑制できる。
【符号の説明】
【００７４】
１…腕時計(携帯時計)
２…時計外装組立
２ａ…時計外装組立の内部
９…自動ガス抜き弁
２３…パイプ（弁体取付け孔）
２３ｂ…弁体取付け孔の縁部
２４…第１のシール面
２５…第２のシール面
２６…第１の逃げ部
２７…第２の逃げ部
２８…第１のテーパ面
２９…第２のテーパ面
３１…弁体
３２…弁体軸部
３２ａ…抜け止め
３３…弁体頭部
３３ａ…筒状周壁
３４…通気部
３５…第１の軸部位
３６…第２の軸部位
３７…環状溝
３７ａ…斜状面
４１…第１のシール材
４２…第２のシール材
４５…コイルばね（付勢体）
Ｓ…閉空間
Ｌ５…軸方向第１離間距離
Ｌ６…軸方向第２離間距離
【図１】
0005405945.tif 000002
【図２】
0005405945.tif 000003
【図３】
0005405945.tif 000004
【図４】
0005405945.tif 000005